【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
組織部位の治療用減圧システムと共に使用される減圧コネクタにおいて、
シーリング部材を介して前記組織部位に減圧を加えるためのコネクタ本体であって、ベントポートと、減圧を供給する減圧送給導管に流体連結するための本体導管とを備えて形成されるコネクタ本体と、
前記ベントポートを覆って前記コネクタ本体に連結される可撓性部材であって、前記可撓性部材が少なくとも１つのベント口を備えて形成され、及び前記可撓性部材が前記ベントポートから離れる方に付勢されており、閾値減圧より大きい減圧下では圧潰して前記ベントポートを封塞するように構成される、可撓性部材と、
を含むことを特徴とする減圧コネクタ。
【請求項２】
請求項１に記載の減圧コネクタにおいて、前記減圧送給導管が複数のルーメンを含み、前記複数のルーメンの少なくとも１つが前記組織部位から流体を抜き出し、及び前記複数のルーメンの別のルーメンが、前記減圧コネクタにより加えられる減圧を決定することを特徴とする減圧コネクタ。
【請求項３】
請求項１又は２に記載の減圧コネクタにおいて、前記ベントポートが加圧作動気体の供給源と流体連通していることを特徴とする減圧コネクタ。
【請求項４】
請求項１又は２又は３に記載のコネクタにおいて、減圧が閾値圧未満の減圧に低下すると（絶対尺度で圧力が上昇すると）、前記可撓性部材が拡張位置に戻るように構成されることを特徴とするコネクタ。
【請求項５】
請求項１又は請求項１乃至４の何れか１項に記載のコネクタにおいて、前記ドレッシングバルブに入る作動気体から汚染物質を除去するための、前記少なくとも１つのベント口を覆う少なくとも１つの膜をさらに含むことを特徴とするコネクタ。
【請求項６】
請求項５に記載のコネクタにおいて、前記作動気体が空気であることを特徴とするコネクタ。
【請求項７】
請求項１又は請求項１乃至６の何れか１項に記載のコネクタにおいて、前記可撓性部材が、前記可撓性部材を前記ベントポートから離れる方に付勢するドーム形状であることを特徴とするコネクタ。
【請求項８】
患者における組織部位を減圧により治療するためのシステムにおいて、
前記組織部位に隣接して配置されるマニホルドと、
第１の側面と第２の組織側に向く側面とを有するシーリング部材であって、前記第２の組織側に向く側面が前記マニホルド及び前記患者の表皮の一部分に隣接して配置するためのものであり、前記シーリング部材が供給口とポート口とを有する、シーリング部材と、
前記マニホルドに減圧が供給されるよう前記シーリング部材に連結するための減圧コネクタであって、
第１の端部と第２の端部とを有する本体導管を備えて形成されるコネクタ本体であって、前記本体導管の前記第２の端部が前記供給口と流体連結される、コネクタ本体と、
前記ポート口との流体連通を提供するための、前記コネクタ本体に形成されたベントポートと、
前記ベントポートを覆って前記コネクタ本体に連結される可撓性部材であって、前記可撓性部材が少なくとも１つのベント口を備えて形成され、及び前記可撓性部材が前記ベントポートから離れる方に付勢されており、閾値圧より大きい減圧下では圧潰して前記ベントポートを封塞するように構成される、可撓性部材と、
を含む減圧コネクタと、
前記減圧コネクタと減圧送給導管を介して流体連通する減圧源において、減圧が閾値圧未満であると、それに応答して前記可撓性部材が拡張位置に戻るように構成される、減圧源と、
を含むことを特徴とするシステム。
【請求項９】
請求項８に記載のシステムにおいて、前記減圧送給導管が複数のルーメンを含み、前記複数のルーメンの少なくとも１つが、前記組織部位から流体を抜き出すように構成されることを特徴とするシステム。
【請求項１０】
請求項８又は９に記載のシステムにおいて、前記少なくとも１つのベント口に侵入する空気を調整するための、少なくとも部分的に前記可撓性部材を覆って配置されるカバーをさらに含むことを特徴とするシステム。
【請求項１１】
請求項８又は９又は１０に記載のシステムにおいて、前記作動気体から汚染物質を除去するための、前記少なくとも１つのベント口を覆う少なくとも１つの膜をさらに含むことを特徴とするシステム。
【請求項１２】
請求項８又は請求項９〜１１の何れか１項に記載のシステムにおいて、前記ベントポートが前記本体導管と直接連通することを特徴とするシステム。
【請求項１３】
シーリング部材を介して患者における組織部位に減圧を加えるための減圧コネクタの製造方法において、
コネクタ本体を形成するステップと、
前記コネクタ本体に、第１の端部と第２の端部とを有する本体導管を形成するステップであって、前記第１の端部が、減圧を供給する減圧送給導管に流体連結するためのものであり、及び前記第２の端部が、マニホルドに減圧を送給するためのものである、ステップと、
前記コネクタ本体にベントポートを形成するステップと、
前記ベントポートを覆って可撓性部材を提供するステップと、
前記可撓性部材に少なくとも１つのベント口を形成するステップと、
を含み、
前記可撓性部材が前記ベントポートから離れる方に付勢されており、閾値減圧より大きい減圧下では圧潰して前記ベントポートを封塞するように構成されることを特徴とする方法。
【請求項１４】
請求項１３に記載の方法において、前記可撓性部材が、前記少なくとも１つのベント口を通って送達される空気から汚染物質をろ過するための、前記少なくとも１つのベント口を着脱可能に被覆する１つ又は複数の膜をさらに含むことを特徴とする方法。
【請求項１５】
請求項１３又は１４に記載の方法において、前記少なくとも１つのベント口を少なくとも部分的に被覆して前記少なくとも１つの（ａｔ  ｌｅａｓｔ  ｏｎ）ベント口を通る空気の流れを制御するための、前記可撓性部材を覆うカバーを形成するステップをさらに含むことを特徴とする方法。
【請求項１６】
請求項１３又は１４又は１５に記載の方法において、前記ベントポートが前記本体導管と直接連通することを特徴とする方法。
【請求項１７】
患者における組織部位を減圧により治療するためのシステムにおいて、
前記組織部位に隣接して配置されるマニホルドと、
第１の側面と第２の組織側に向く側面とを有するシーリング部材であって、前記第２の組織側に向く側面が、前記マニホルド及び前記患者の表皮の一部分に隣接して配置するためのものであり、前記シーリング部材が供給口とポート口とを有する、シーリング部材と、
ベントポートと、第１の端部と第２の端部とを有する本体導管とを備えて形成されるコネクタ本体を含む減圧コネクタと、
前記ベントポートを覆って前記コネクタ本体に連結されるドレッシングバルブであって、
チャンバと、少なくとも１つのベント口と、ベントポートとを有するバルブ本体と、
前記チャンバ内に配置されるボールと、
前記ボールを弁座に向かって付勢するばねであって、前記ボールが前記弁座に当接しているとき、前記チャンバに至る前記ベントポートの開放口が封塞され、及び前記少なくとも１つのベント口が封塞される、ばねと、
を含み、
前記ばねが、それ超えると作動気体が前記少なくとも１つのベント口に侵入して前記ベントポートに送達される圧力であるリリーフ圧より大きい減圧に曝露されると、前記ボールが前記ばねの付勢を上回るように構成される、ドレッシングバルブと、
を含むことを特徴とするシステム。
【請求項１８】
請求項１７に記載のシステムにおいて、前記ベントポートが前記本体導管と直接流体連結されることを特徴とするシステム。
【請求項１９】
患者における組織部位の減圧治療中のバキュームロックを防止する方法において、
減圧が達成されるまで治療システムを利用して前記組織部位に減圧を加えるステップと、
第１の閾値圧で前記治療システムのドレッシングバルブを封塞し、前記減圧を増加させるステップと、
バキュームロックを緩和するため前記治療システムの本体導管により抽気されるように、前記ドレッシングバルブの封塞を解除して作動気体を前記ドレッシングバルブの１つ又は複数のベント口内に放出するステップと、
を含むことを特徴とする方法。
【請求項２０】
請求項１９に記載の方法において、前記治療システムが、減圧源と減圧送給導管を介して流体連通した状態で前記組織部位を覆って位置決めされるシーリング部材及び減圧コネクタを含むことを特徴とする方法。
【請求項２１】
請求項２０に記載の方法において、前記作動気体が空気であることを特徴とする方法。
【請求項２２】
患者における組織部位の減圧治療中のバキュームロックを防止する方法において、
治療システムを利用して減圧下で前記組織部位に減圧を加えるステップと、
前記治療システムにより創傷に加えられる減圧を増加させるステップと、
前記治療システムにより前記組織部位に加えられる減圧を決定するステップと、
減圧がリリーフ圧に達したことが決定されると、それに応答して任意のバキュームロックを緩和するため、前記治療システムのドレッシングバルブを介して作動気体を減圧源と流体連通している減圧送給導管にベントするステップと、
前記ドレッシングバルブを解放するステップと、
を含むことを特徴とする方法。
【請求項２３】
請求項２２に記載の方法において、前記治療システムが、前記創傷を覆って、且つ前記減圧源と前記減圧送給導管を介して流体連通して位置決めされるシーリング部材及び減圧コネクタを含むことを特徴とする方法。
【請求項２４】
請求項２２に記載の方法において、ベントすることにより前記作動気体を放出して前記本体導管を通じて抽気し、バキュームロックの影響を低減することを特徴とする方法。